(57)【要約】【課題】  内臓モニタと外部モニタとの表示切り替えを確実に行う情報処理装置を提供する。【解決手段】  ＲＧＢコネクタ３９にＲＧＢケーブル３が接続されるとスイッチ３９ａが矢印方向に移動するに伴い、金属板４１もスイッチ３９ａの移動方向と同様の移動方向に移動し、金属板４１は第１の金属部４４と第２の金属部４５とに接続し導通状態となる。金属板４１が第１の金属部４４と第２の金属部４５とに接続すると、信号線４０に流れる信号が、例えばＨｉｇｈ（５Ｖ）からＬｏｗ（０Ｖ）へと変化する。信号線４０に流れる信号がＨｉｇｈからＬｏｗに変化することに伴って、Ｉ／Ｏハブ２０に設けられるレジスタ２０ａに例えば１ビットの０が記憶される。レジスタ２０ａに記憶される１ビットの０は、ＲＧＢコネクタ３９にＲＧＢケーブル３が接続されたことを意味する。【選択図】  図４
2005339413.tif 000002
【特許請求の範囲】
【請求項１】
外部モニタを接続するケーブルが接続される接続部と、
前記ケーブルと前記接続部とを接続する場合、前記ケーブルによって押下げられるスイッチと、
前記スイッチが押下げられることで前記ケーブルと前記接続部とが接続されたことを認識する認識手段と、
前記認識手段によって前記ケーブルと前記接続部とが接続されたことが認識された場合、前記外部モニタに映像を表示させる表示手段と、
を具備することを特徴とする情報処理機器。
【請求項２】
表示部をさらに有し、
前記表示手段は、前記認識手段によって前記ケーブルと前記接続部とが接続されたことが認識される前は、前記表示部に映像を表示させることを特徴とする請求項１記載の情報処理装置。
【請求項３】
前記スイッチが押下げられたことで前記ケーブルと前記接続部とが接続されたことを記憶する記憶部とをさらに有し、
前記認識手段は、ポーリング処理を実行することで前記記憶部に記憶された内容を認識することを特徴とする請求項１記載の情報処理機器。
【請求項４】
外部モニタを接続するケーブルが接続される接続部と、
前記接続部を覆う蓋部と、
前記蓋部が前記接続部を覆っている場合、前記蓋部によって押下げられているスイッチと、
前記接続部を露出することに伴い、前記スイッチが押下げられている状態から解除されることで、前記ケーブルと前記接続部とが接続されていると認識する認識手段と、
前記認識手段によって前記ケーブルと前記接続部とが接続されていると認識された場合、前記ケーブルを介して前記接続部に接続される前記外部モニタに映像を表示させる表示手段と、
を具備することを特徴とする情報処理機器。
【請求項５】
表示部をさらに有し、
前記表示手段は、前記認識手段によって前記ケーブルと前記接続部とが接続されていると認識される前は、前記表示部に映像を表示させることを特徴とする請求項４記載の情報処理装置。
【請求項６】
前記スイッチが押下げられている状態から解除されることで、前記ケーブルと前記接続部とが接続されていること記憶する記憶部とをさらに有し、
前記認識手段は、ポーリング処理を実行することで前記記憶部に記憶された内容を認識することを特徴とする請求項１記載の情報処理機器。
【請求項７】
外部モニタを接続するケーブルが接続される接続部および表示部を有する情報処理装置における表示切替え方法において、
前記ケーブルと前記接続部とを接続する際、前記ケーブルと接触する位置に設けられるスイッチを前記ケーブルによって押下げ、
前記スイッチが押下げられることで前記ケーブルと前記接続部とが接続されたことを認識し、
前記ケーブルと前記接続部とが接続されたことが認識された場合、前記表示部への映像の表示から前記外部モニタへの映像の表示に切替えることを特徴とする表示切替え方法。
【発明の詳細な説明】
【技術分野】
【０００１】
本発明は、複数の表示装置を使用可能な情報処理装置であり、特に所定の条件にて表示装置を切替えることが可能な情報処理装置および表示切替え方法に関する。
【背景技術】
【０００２】
近年、ノート型パーソナルコンピュータにはＬＣＤ（Ｌｉｑｕｉｄ  Ｃｒｙｓｔａｌ  Ｄｉｓｐｌａｙ）が設けられている。さらに、ノート型パーソナルコンピュータに設けられている外部インターフェースのＲＧＢコネクタ等にＲＧＢケーブルを介してＣＲＴを接続することで、ＬＣＤのみならずＣＲＴにも表示信号を出力させることが可能である。ＬＣＤとＣＲＴを自動的に切り替える自動切り替え回路に関する技術として、論理ＯＲ回路と表示制御ＩＣを用いて構成される回路があった（特許文献１参照。）。
【特許文献１】特開平１０−３１９９２７号公報（第３頁、第１図）
【発明の開示】
【発明が解決しようとする課題】
【０００３】
特許文献１に開示された技術では、ＧＮＤに対してＰＣ本体のＶＣＣを接続するために、静電気等が原因となってＬＣＤとＣＲＴの自動切り替え機能がうまく働かない場合がある。
【０００４】
そこで、本発明は内臓モニタと外部モニタとの表示切り替えを確実に行う情報処理装置を提供することを目的とする。
【課題を解決するための手段】
【０００５】
上記目的を達成するために、請求項１に係る発明では、外部モニタを接続するケーブルが接続される接続部と、ケーブルと接続部とを接続する場合、ケーブルによって押下げられるスイッチと、スイッチが押下げられることでケーブルと接続部とが接続されたことを認識する認識手段と、認識手段によってケーブルと接続部とが接続されたことが認識された場合、外部モニタに映像を表示させる表示手段とを具備することを特徴とする。
【０００６】
また、請求項４に係る発明では、外部モニタを接続するケーブルが接続される接続部と、接続部を覆う蓋部と、蓋部が接続部を覆っている場合、蓋部によって押下げられているスイッチと、接続部を露出することに伴い、スイッチが押下げられている状態から解除されることで、ケーブルと接続部とが接続されていると認識する認識手段と、認識手段によってケーブルと接続部とが接続されていると認識された場合、ケーブルを介して接続部に接続される外部モニタに映像を表示させる表示手段とを具備することを特徴とする。
【０００７】
また、請求項７に係る発明では、外部モニタを接続するケーブルが接続される接続部および表示部を有する情報処理装置における表示切替え方法において、ケーブルと接続部とを接続する際、ケーブルと接触する位置に設けられるスイッチをケーブルによって押下げ、スイッチが押下げられることでケーブルと接続部とが接続されたことを認識し、ケーブルと接続部とが接続されたことが認識された場合、表示部への映像の表示から外部モニタへの映像の表示に切替えることを特徴とする。
【発明の効果】
【０００８】
本発明によれば、内臓モニタと外部モニタとの表示切り替えを確実に行うことが可能である。
【発明を実施するための最良の形態】
【０００９】
以下本発明に係る実施の形態を、図面を参照して説明する。
【００１０】
図１は、情報処理装置であるノートブック型パーソナルコンピュータ（以下、コンピュータと称す。）１およびＣＲＴ型モニタ２（外部モニタ）の表示状態を示した図である。
【００１１】
状態Ｓｔａ１では、コンピュータ１およびＣＲＴ型モニタ２の電源が夫々オン状態であり、コンピュータ１およびＣＲＴ型モニタ２は夫々ＲＧＢケーブルで接続されていない。コンピュータ１に設けられるＬＣＤ１８に表示信号が出力され、該出力された表示信号に対応する表示がＬＣＤ１８になされる。一方、ＣＲＴ型モニタ２には表示信号が出力されておらず、モニタに表示はなされない。
【００１２】
状態Ｓｔａ２では、コンピュータ１およびＣＲＴ型モニタ２の電源が夫々オン状態であり、コンピュータ１およびＣＲＴ型モニタ２は夫々ＲＧＢケーブル３で接続されている。後述にて詳細に説明するが、コンピュータ１側にて生成された表示信号がＲＧＢケーブル３を介してＣＲＴ型モニタ２に出力され、該出力された表示信号に対応する表示がＣＲＴ型モニタ２になされる。次にコンピュータ１のシステム構成について説明する。
【００１３】
図２はコンピュータのシステムを示すシステムブロック図である。
【００１４】
ホストハブ１１には、ＣＰＵ１０、メモリ１３、グラフィックスコントローラ１５およびＩ／Ｏハブ２０が接続されている。
【００１５】
ホストハブ１１はＣＰＵ１０のシステムバス１２とＩ／Ｏハブ２０との間を接続するブリッジデバイスである。ホストハブ１１にはメモリ１３へのアクセスを制御するメモリコントローラが内蔵されている。
【００１６】
ＣＰＵ１０はコンピュータ１の動作を制御するために設けられたプロセッサである。ＣＰＵ１０は外部記憶装置であるハードディスクドライブ（ＨＤＤ）２１からメモリバス１４を介してメモリ１３にロードされる、オペレーティングシステム（ＯＳ）および各種アプリケーション／ユーティリティプログラムを実行する。また、ＣＰＵ１０はＢＩＯＳ−ＲＯＭ２７に格納されたＢＩＯＳ（Basic Input Output System）２７ａも実行する。
【００１７】
ホストハブ１１にＡＧＰバス１６を介して接続されるグラフィクスコントローラ１５はコンピュータ１のディスプレイモニタとして使用されるＬＣＤ１８にデジタル表示信号を出力する。さらにグラフィックコントローラ１５はデジタル表示信号をＤＡ（Ｄｉｇｉｔａｌ／Ａｎａｌｏｇ）変換することで生成したアナログ表示信号をＲＧＢコネクタ３９およびＲＧＢケーブル３を介してＣＲＴ型モニタ２に出力する。グラフィクスコントローラ１５はビデオメモリ（ＶＲＡＭ）１７を有しており、ＯＳ／アプリケーションプログラムによってビデオメモリ１７に描画されたデータをＬＣＤ１８およびＣＲＴ型モニタに表示する。
【００１８】
ホストハブ１１と例えばハブインターフェイスといった専用バスで接続されるＩ／Ｏハブ２０は、ＰＣＩ（Peripheral Component Interconnect）バス２３上の各デバイスおよびＬＰＣ（low pin count）バス２２上の各デバイスを制御する。
【００１９】
Ｉ／Ｏハブ２０と前述にて説明したＲＧＢコネクタ３９とは信号線４０で接続されている。後述にて詳細に説明するが、ＲＧＢコネクタ３９にＲＧＢケーブル３が接続されると、信号線４０を介して、ＲＧＢコネクタ３９とＲＧＢケーブル３とが接続されたことを意味する信号がＩ／Ｏハブ２０に伝送される。
【００２０】
Ｉ／Ｏハブ２０には外部記憶装置であるＨＤＤ２１を制御するためのＩＤＥ（Integrated Drive Electronics）コントローラ、およびＵＳＢ３６を制御するためのＵＳＢコントローラが内蔵される。
【００２１】
ＨＤＤ２１はＩ／Ｏハブ２０とシリアルＡＴＡ２１ａを介して接続される。ＨＤＤ２１には、オペレーティングシステム（ＯＳ）、各種アプリケーション／ユーティリティプログラムおよびアプリケーションプログラムを使用することでユーザが作成したデータ等が記憶される。
【００２２】
ＢＴ（ＢｌｕｅＴｏｏｔｈ）モジュール３７はＩ／Ｏハブ２０とＵＳＢ３６を介して接続される。ＢＴモジュール３７は、Ｂｌｕｅｔｏｏｔｈ通信（以下、ＢＴ通信と称す。）を行うために必要なＬＳＩ群（例えば、ＲＦ部、ベースバンド部等）から構成される。ＢＴモジュール３７に接続されるアンテナ３８は、ＢＴ通信を行う相手に対して電波を送信する、またはＢＴ通信を行う相手から送信される電波を受信する。
【００２３】
オーディオコーディック２３はＩ／Ｏハブ２０とＡＣ（Ａｕｄｉｏ  Ｃｏｄｅｃ）９７（２２）を介して接続される。オーディオコーディック２３は、サウンド入出用のコーディックの一種である。オーディオコーディック２３は、入出力されるサウンドのコーディック部とアナログモデムのデータ処理部等を有する。
【００２４】
オーディオコーディック２３にはモデム２４およびＡＭＰ２５ａが接続される。ＡＭＰ２５ａはオーディオコーディック２３にて生成されたサウンド信号を増幅する。ＡＭＰ２５ａによって増幅されたサウンド信号はスピーカ２５に送出され、スピーカ２５は可聴周波数帯の音波を出力する。
【００２５】
モデム２４はデジタル信号からアナログ信号への変調処理、およびアナログ信号からデジタル信号への復調処理等を行う。
【００２６】
ＰＣＩバス２３上には無線ＬＡＮコントローラ３４が接続される。無線ＬＡＮコントローラ３４は、例えばＩＥＥＥ８０２．１１ｇ通信といった無線ＬＡＮ通信を行うために必要なＬＳＩ群（例えば、ＲＦ部、ベースバンド部等）から構成される。無線ＬＡＮコントローラ３４に接続されるアンテナ３５は、無線ＬＡＮ通信を行う相手に対して電波を送信する、または無線ＬＡＮ通信を行う相手から送信される電波を受信する。
【００２７】
ＬＰＣバス２２上にはエンベデッドコントローラ／キーボードコントローラＩＣ（ＥＣ／ＫＢＣ）２３が接続される。
【００２８】
エンベデッドコントローラ／キーボードコントローラＩＣ（ＥＣ／ＫＢＣ）２３は、電力管理のためのエンベデッドコントローラと、キーボード（ＫＢ）ユニット５を制御するためのキーボードコントローラとが集積された１チップマイクロコンピュータである。ＥＣ／ＫＢＣ２３は、ユーザによるパワーボタンの操作に応じてコンピュータ１をパワーオン／パワーオフする機能を有している。次に、ＲＧＢコネクタ３９とＲＧＢケーブル３との接続について説明する。
【００２９】
図３は、ＲＧＢコネクタとＲＧＢケーブルとの接続について説明する概略図である。
【００３０】
ＲＧＢコネクタ３９は情報処理装置１の本体１ａの背面等に設けられる。ＲＧＢコネクタ３９がＲＧＢケーブル３と接続された際、ＲＧＢケーブル３と接触するように、ＲＧＢコネクタ３９の周辺にスイッチ３９ａを設ける。スイッチ３９ａは本体１ａに対して押し下げ可能に設けられており、ＲＧＢコネクタ３９にＲＧＢケーブル３を接続すると押し下げられる。一方、ＲＧＢコネクタ３９からＲＧＢケーブル３を取り外すと、スイッチ３９ａは元の位置に戻る。次に、ＲＧＢコネクタ３９とＲＧＢケーブル３とが接続されているか否かをＩ／Ｏハブ２０に記録する手順について説明する。
【００３１】
図４は、Ｉ／ＯハブとＲＧＢコネクタ周辺に設けられるスイッチとの関係を示した図である。
【００３２】
ＲＧＢコネクタ３９にＲＧＢケーブル３が接続されるとスイッチ３９ａが矢印方向に移動する。スイッチ３９ａが矢印方向に移動するに伴い、例えば壁部４７とバネ４３で接続されている金属板４１もスイッチ３９ａの移動方向と同様の移動方向に移動する。
【００３３】
金属板４１がスイッチ３９ａの移動方向に移動すると、金属板４１は第１の金属部４４と第２の金属部４５とに接続し導通状態となる。第１の金属部４４は接地されており、第２の金属部４５は抵抗４２が接続される信号線４０を介してＩ／Ｏハブ２０と接続されている。
【００３４】
金属板４１が第１の金属部４４と第２の金属部４５とに接続すると、信号線４０に流れる信号が、例えばＨｉｇｈ（５Ｖ）からＬｏｗ（０Ｖ）へと変化する。
【００３５】
信号線４０に流れる信号がＨｉｇｈからＬｏｗに変化することに伴って、Ｉ／Ｏハブ２０に設けられるレジスタ２０ａ（記憶部）に例えば１ビットの０が記憶される。レジスタ２０ａに記憶される１ビットの０は、ＲＧＢコネクタ３９にＲＧＢケーブル３が接続されたことを意味する。次に、ＬＣＤ１８への表示からＣＲＴ型モニタ２への表示の切替手順について説明する。
【００３６】
図５は、Ｉ／Ｏハブに設けられるレジスタに記録される値を読み取る手順を説明したフローチャートである。
【００３７】
ＥＣ／ＫＢＣ２８はレジスタ２０ａに記録されるビット値を所定のタイミングをもってリードする（ステップ  Ｓ１０１）。ＥＣ／ＫＢＣ２８がリードしたビット値が変化した場合（ステップ  Ｓ１０２  Ｙｅｓ）、ＥＣ／ＫＢＣ２８はＢＩＯＳ２７ａに対して割り込み信号を通知する。
【００３８】
図６は、ＢＩＯＳによってＣＲＴ型モニタが接続されているか否かを判断する手順を説明したフローチャートである。
【００３９】
ＢＩＯＳ２７ａはＥＣ／ＫＢＣ２８から通知される割り込み信号の受信をトリガにして、ＢＩＯＳ２７ａはＩ／Ｏハブ２０に設けられるレジスタ２０ａに記録されるビット値をリードする（ステップ  Ｓ２０１）。
【００４０】
ＢＩＯＳ２７ａがリードしたビット値が０である場合、ＲＧＢコネクタ３９にＲＧＢケーブル３を介してＣＲＴ型モニタ２が接続されたと判断する（ステップ  Ｓ２０２  Ｙｅｓ）。
【００４１】
ＢＩＯＳ２７ａはＣＲＴ型モニタ２が接続されたと判断すると、ＢＩＯＳ２７ａはＣＲＴ型モニタ２に内臓されるマイコンと通信を行い（ステップ  Ｓ２０３）、マイコンから送信される例えばＥＤＩＤ値を受信する（ステップ  Ｓ２０４）。
【００４２】
ＢＩＯＳ２７ａはＣＲＴ型モニタ２に内臓されるマイコンよって送信されたＥＤＩＤ値に基づいて、コンピュータ１から出力される表示信号を表示可能なＣＲＴ型モニタであるか否かを判断する（ステップ  Ｓ２０５）。
【００４３】
コンピュータ１から出力される表示信号を表示可能なＣＲＴ型モニタがコンピュータ１に接続されている、とＢＩＯＳ２７ａが判断した場合（ステップ  Ｓ２０５  Ｙｅｓ）、ＢＩＯＳ２７ａはＶＧＡドライバに、ＲＧＢコネクタ３９を介してＣＲＴ型モニタ２が接続されたことを通知する（ステップ  Ｓ２０６）。
【００４４】
図７は、ＯＳによって表示信号をＣＲＴ型モニタに出力させる手順を説明するフローチャートである。
【００４５】
ＶＧＡドライバは、ＣＲＴ型モニタ２がケーブル３を介してＲＧＢコネクタ３９に接続されたことをＯＳに通知する（ステップ  Ｓ３０１）。
【００４６】
ＯＳはＶＧＡドライバから送信された通知に基づいて、ＶＧＡドライバにＣＲＴ型モニタ２に表示信号を出力するように通知する。ＶＧＡドライバはグラフィックコントローラ１５を制御することで、表示信号をＬＣＤ１８に出力せずに、ＥＤＩＤ値に基づいてＣＲＴ型モニタ２に最適な解像度へ設定する。グラフィックコントローラ１５は最適な解像度に設定されることで生成された表示信号をＣＲＴ型モニタ２へ出力する（ステップ  Ｓ３０２）。次に、本発明に係わる第２の実施形態について説明する。
【００４７】
図８は、ＲＧＢコネクタとＲＧＢケーブルとの接続について説明する第２の概略図である。
【００４８】
ＲＧＢコネクタ３９は情報処理装置１の本体１ａの背面等に設けられる。本体１ａの背面には、ＲＧＢコネクタ３９を覆うための蓋部１ｂが本体１ｂに回動して移動可能であるように設けられる。ＲＧＢコネクタ３９とＲＧＢケーブル３とを接続する場合、蓋部１ｂを回動させることでＲＧＢコネクタ３９を露出させる状態にする。
【００４９】
ＲＧＢコネクタ３９が蓋部１ｂによって覆われている状態において、蓋部１ｂはＲＧＢコネクタ３９の周辺に設けられるスイッチ３９ｂを押下げている。蓋部１ｂを回動させることでＲＧＢコネクタ３９を露出させる状態にすると、スイッチ３９ｂは蓋部１ｂに対して非接触となり、スイッチ３９は押下げ状態から解除される。次に、ＲＧＢコネクタ３９とＲＧＢケーブル３とが接続されているか否かをＩ／Ｏハブ２０に記録する手順について説明する。
【００５０】
図９は、Ｉ／ＯハブとＲＧＢコネクタ周辺に設けられるスイッチとの関係を示した第２の図である。
【００５１】
蓋部１ｂを回動させることでＲＧＢコネクタ３９を露出させる状態にすると、スイッチ３９ａが図９に示す矢印方向に移動する。スイッチ３９ａが矢印方向に移動するに伴い、例えば壁部４７とバネ４３で接続されている金属板４１もスイッチ３９ａの移動方向と同様の移動方向に移動する。
【００５２】
金属板４１がスイッチ３９ａの移動方向に移動すると、金属板４１は第１の金属部４４と第２の金属部４５とに接続する導通状態から非導通状態へと移行する。第１の金属部４４は接地されており、第２の金属部４５は抵抗４２が接続される信号線４０を介してＩ／Ｏハブ２０と接続されている。
【００５３】
金属板４１が第１の金属部４４と第２の金属部４５に対して非導通状態となると、信号線４０に流れる信号が、例えばＨｉｇｈ（５Ｖ）からＬｏｗ（０Ｖ）へと変化する。
【００５４】
信号線４０に流れる信号がＨｉｇｈからＬｏｗに変化することに伴って、Ｉ／Ｏハブ２０に設けられるレジスタ２０ａに例えば１ビットの０が記憶される。レジスタ２０ａに記憶される１ビットの０は、ＲＧＢコネクタ３９にＲＧＢケーブル３が接続されたことを意味する。これ以降の制御は、ＲＧＢコネクタ３９にＲＧＢケーブル３を接続した状態において、図５ないし図７を用いて説明した内容と同様である。
【００５５】
本発明によれば、ＣＰＵ１０ではなく、ＥＣ／ＫＢＣ２８がＩ／Ｏハブ２０内に設けられるレジスタ２０ａに対してポーリング処理を行うので、ＣＰＵ使用率を低減させることが可能となる。さらに、ＣＲＴ型モニタ２がコンピュータ１に接続されているか否かを判別するためのスイッチ機構を設けることで、ＥＣ２８のポーリング処理はレジスタ２０ａに対してのみ行えばよいこととなるのでＥＣ２８の負担も軽減する。
【００５６】
本発明は上記実施形態をそのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示されている全構成要素から幾つかの構成要素を削除してもよい。さらに、異なる実施形態にわたる構成要素を適宜組み合わせてもよい。
【図面の簡単な説明】
【００５７】
【図１】コンピュータおよびＣＲＴ型モニタの表示状態を示した図
【図２】コンピュータのシステムを示すシステムブロック図。
【図３】ＲＧＢコネクタとＲＧＢケーブルとの接続について説明する概略図。
【図４】Ｉ／ＯハブとＲＧＢコネクタ周辺に設けられるスイッチとの関係を示した図。
【図５】Ｉ／Ｏハブに設けられるレジスタに記録される値を読み取る手順を説明したフローチャート。
【図６】ＢＩＯＳによってＣＲＴ型モニタが接続されているか否かを判断する手順を説明したフローチャート。
【図７】ＯＳによって表示信号をＣＲＴ型モニタに出力させる手順を説明するフローチャート。
【図８】ＲＧＢコネクタとＲＧＢケーブルとの接続について説明する第２の概略図。
【図９】Ｉ／ＯハブとＲＧＢコネクタ周辺に設けられるスイッチとの関係を示した第２の図。
【符号の説明】
【００５８】
１…コンピュータ、２…ＣＲＴ型モニタ、３…ＲＧＢケーブル、
２０…Ｉ／Ｏハブ、３９…ＲＧＢコネクタ、
【図１】
2005339413.tif 000003
【図２】
2005339413.tif 000004
【図３】
2005339413.tif 000005
【図４】
2005339413.tif 000006
【図５】
2005339413.tif 000007
【図６】
2005339413.tif 000008
【図７】
2005339413.tif 000009
【図８】
2005339413.tif 000010
【図９】
2005339413.tif 000011